(57)【特許請求の範囲】
【請求項１】
コンテナ胴体（１０）の内側において側壁部（１３）に溶接される多数の第１の離隔部材（２０）と、
前記コンテナ胴体（１０）の内側において天井部（１４）に溶接される多数の第２の離隔部材（３０）と、
前記第１の離隔部材（２０）に結合されて前記側壁部（１３）の間に第１の離隔空間（Ｄ１）を形成する多数の第１の断熱パネル（４０）と、
前記第２の離隔部材（３０）に結合されて前記天井部（１４）の間に第２の離隔空間（Ｄ２）を形成する多数の第２の断熱パネル（５０）と、
前記第１及び第２の断熱パネル（４０）、（５０）の表面に貼り付けられる多数の仕上げパネル（６０）と、
を備えることを特徴とする断熱性が補強されたコンテナハウス。
【請求項２】
前記第１及び第２の断熱パネル（４０）、（５０）は、
前記第１及び第２の離隔空間（Ｄ１）（Ｄ２）を経由する電気配線においてスパークが発生しても、そのスパークにより火災が発生することを防ぐために、発泡スチレン製の第１及び第２の断熱材（４１）、（５１）の両面に第２の鉄板（４２）、（５２）が貼り付けられて実現されるサンドイッチパネルであることを特徴とする請求項１に記載の断熱性が補強されたコンテナハウス。
【請求項３】
前記コンテナ胴体（１０）の一方の側及び他方の側に形成されたものであり、前記第１の離隔空間（Ｄ１）と連通される第１の流入通気孔（７１）及び第１の排出通気孔（７２）と、
前記第１の排出通気孔（７２）と連通されて前記第１の離隔空間（Ｄ１）、（Ｄ２）に負圧を形成するファンユニット（８０）と、
を更に備えることを特徴とする請求項１に記載の断熱性が補強されたコンテナハウス。
【請求項４】
前記コンテナ胴体（１０）の一方の側及び他方の側に形成されたものであり、前記第２の離隔空間（Ｄ２）と連通される第２の流入通気孔（７５）及び第２の排出通気孔（７６）と、
前記第２の排出通気孔（７６）と連通されて前記第２の離隔空間（Ｄ１）、（Ｄ２）に負圧を形成するファンユニット（８０）と、
を更に備えることを特徴とする請求項１に記載の断熱性が補強されたコンテナハウス。
【請求項５】
前記ファンユニット（８０）は、
前記第１の排出通気孔（７２）又は第２の排出通気孔（７６）を取り囲むファンハウジング（８１）及び前記ファンハウジング（８１）に配設されてそのファンハウジング（８１）の内部の空気を外部に排出するファン（８２）を備えることを特徴とする請求項３又は請求項４に記載の断熱性が補強されたコンテナハウス。
【請求項６】
外気の温度を測定して対応する第１の温度信号（Ｓ１）を発生させる第１の温度センサー（９１）と、前記側壁部（１３）及び天井部（１４）のうちの少なくとも一方の温度を測定して対応する第２の温度信号（Ｓ２）を発生させる第２の温度センサー（９２）と、前記第１の温度信号（Ｓ１）及び第２の温度信号（Ｓ２）により測定された温度差が設定された温度差以上であるときに前記ファン（８０）を作動させるファン作動部（９３）と、を有するファンコントローラ（９０）を更に備えることを特徴とする請求項３又は請求項４に記載の断熱性が補強されたコンテナハウス。
【請求項７】
前記第１の離隔空間（Ｄ１）の内部に配設されたものであり、そこを経由する空気が前記側壁部（１３）の全面に接触されながら流れるように渦流を形成する多数の第１の渦流形成部材（７３）を更に備えることを特徴とする請求項３に記載の断熱性が補強されたコンテナハウス。
【請求項８】
前記第２の離隔空間（Ｄ２）の内部に配設されたものであり、そこを経由する空気が前記天井部（１４）の全面に接触されながら流れるように渦流を形成する多数の第２の渦流形成部材（７７）を更に備えることを特徴とする請求項４に記載の断熱性が補強されたコンテナハウス。
【請求項９】
前記第１の流入通気孔（７１）又は第２の流入通気孔（７５）に雨や雪が振り込まないように取り囲み、前記第１の流入通気孔（７１）又は第２の流入通気孔（７５）よりも下部側に空気が流入するカバー入口（１００ａ）が形成された構造を有するルーフカバー（１００）を更に備えることを特徴とする請求項３又は請求項４に記載の断熱性が補強されたコンテナハウス。
【発明の詳細な説明】
【技術分野】
【０００１】
本発明は、断熱性が補強されたコンテナハウスに係り、更に詳しくは、夏場にも快適な環境を実現することができる断熱性が補強されたコンテナハウスに関する。
【背景技術】
【０００２】
コンテナハウスとは、コンテナの内部に電気配線を引回し、住まいのための家具を設置することにより、人が住むようにする組立式の住空間である。この種のコンテナハウスは、側壁部に断熱材を組み付けることにより、コンテナの内部を外部から断熱させる。このとき、断熱材の組み付けは、まず、側壁部に多数の補強用の角木を鉄片や鉄線を用いて固定し、その角木の間に発泡スチレンなどの断熱材を切断してはめ込んだ後、石膏ボードを釘などで補強用の角木に固定する方式により行われる。これと関連するコンテナハウスの先行技術が大韓民国実用新案登録第２０−０１７２５９０号にコンテナハウス用の壁面積層パネルという題目で開示されている。
【０００３】
ところが、上述したコンテナハウスの場合、補強用の角木の間に断熱材を切断してはめ込んだが故に、補強用の角木と断熱材との間に隙間が生じたりずれが生じたりして断熱が上手くできなかった。
【０００４】
また、電気の供給のための電気配線が引き回される空間を確保するために、石膏ボードの後方側において断熱材に溝を形成して空間を形成し、その溝に電気配線をはめ込んでいた。このため、電気ショートが発生して電気配線においてスパークが発生する場合、発泡スチレン断熱材が燃焼されながら火災が発生するという問題があった。
【０００５】
また、夏場にはコンテナハウスの外側壁が７０〜８０℃まで上昇するため、高熱が電気配線にそのまま伝わってしまい、その結果、電気配線を取り囲む絶縁層が破損されたり硬化が促されたりした。このため、時間が経つにつれて電気ショートの可能性が高くなるという問題があった。
【発明の概要】
【発明が解決しようとする技術的課題】
【０００６】
本発明は上述した問題を解消するために案出されたものであり、側壁部及び天井部に空気層からなる第１及び第２の離隔空間が形成されるように第１及び第２の断熱パネルを設けて断熱効果を極大化させることができ、これにより、夏場や冬場に快適な環境を維持することができる断熱性が補強されたコンテナハウスを提供することを目的とする。
【０００７】
本発明の他の目的は、電気配線を引き回すための別途の空間を形成しなくても済むので組立て易く、たとえ電気ショートによりスパークが発生しても火災の可能性を排除することができる断熱性が補強されたコンテナハウスを提供することである。
【０００８】
本発明の更に他の目的は、たとえ真夏にコンテナハウスの側壁部及び天井部が７０〜８０℃まで上昇しても、高熱が電気配線に伝わらないことから、電気配線を取り囲む絶縁層が破損されたり硬化が促されたりすることを防ぐことができる断熱性が補強されたコンテナハウスを提供することである。
【課題を解決するための手段】
【０００９】
上述した目的を達成するために、本発明による断熱性が補強されたコンテナハウスは、コンテナ胴体１０の内側において側壁部１３に溶接される多数の第１の離隔部材２０と、前記コンテナ胴体１０の内側において天井部１４に溶接される多数の第２の離隔部材３０と、前記第１の離隔部材２０に結合されて前記側壁部１３の間に第１の離隔空間Ｄ１を形成する多数の第１の断熱パネル４０と、前記第２の離隔部材３０に結合されて前記天井部１４の間に第２の離隔空間Ｄ２を形成する多数の第２の断熱パネル５０と、前記第１及び第２の断熱パネル４０、５０の表面に貼り付けられる多数の仕上げパネル６０と、を備えることを特徴とする。
【００１０】
本発明において、前記第１及び第２の断熱パネル４０、５０は、前記第１及び第２の離隔空間Ｄ１、Ｄ２を経由する電気配線においてスパークが発生しても、そのスパークにより火災が発生することを防ぐために、発泡スチレン製の第１及び第２の断熱材４１、５１の両面に第２の鉄板４２、５２が貼り付けられて実現されるサンドイッチパネルである。
【００１１】
本発明において、前記コンテナ胴体１０の一方の側及び他方の側に形成されたものであり、前記第１の離隔空間Ｄ１と連通される第１の流入通気孔７１及び第１の排出通気孔７２と、前記第１の排出通気孔７２と連通されて前記第１の離隔空間Ｄ１、Ｄ２に負圧を形成するファンユニット８０と、を更に備える。
【００１２】
本発明において、 前記コンテナ胴体１０の一方の側及び他方の側に形成されたものであり、前記第２の離隔空間Ｄ２と連通される第２の流入通気孔７５及び第２の排出通気孔７６と、前記第２の排出通気孔７６と連通されて前記第２の離隔空間Ｄ１、Ｄ２に負圧を形成するファンユニット８０と、を更に備える。
【００１３】
本発明において、前記ファンユニット８０は、前記第１の排出通気孔７２又は第２の排出通気孔７６を取り囲むファンハウジング８１及び前記ファンハウジング８１に配設されてそのファンハウジング８１の内部の空気を外部に排出するファン８２を備える。
【００１４】
本発明において、外気の温度を測定して対応する第１の温度信号Ｓ１を発生させる第１の温度センサー９１と、前記側壁部１３及び天井部１４のうちの少なくとも一方の温度を測定して対応される第２の温度信号Ｓ２を発生させる第２の温度センサー９２と、前記第１の温度信号Ｓ１及び第２の温度信号Ｓ２により測定された温度差が設定された温度差以上であるときに前記ファン８０を作動させるファン作動部９３と、を有するファンコントローラ９０を更に備える。
【００１５】
本発明において、前記第１の離隔空間Ｄ１の内部に配設されたものであり、それを経由する空気が前記側壁部１３の全面に接触されながら流れるように渦流を形成する多数の第１の渦流形成部材７３を更に備える。
【００１６】
本発明において、前記第２の離隔空間Ｄ２の内部に配設されたものであり、そこを経由する空気が前記天井部１４の全面に接触されながら流れるように渦流を形成する多数の第２の渦流形成部材７７を更に備える。
【００１７】
本発明において、 前記第１の流入通気孔７１又は第２の流入通気孔７５に雨や雪が振り込まないように取り囲み、前記第１の流入通気孔７１又は第２の流入通気孔７５よりも下部側に空気が流入するカバー入口１００ａが形成された構造を有するルーフカバー１００を更に備える。
【図面の簡単な説明】
【００１８】
【図１】本発明による断熱性が補強されたコンテナハウスの第１の実施形態の斜視図である。
【図２】図１のＩＩ−ＩＩ線に沿った断面図である。
【図３】本発明による断熱性が補強されたコンテナハウスの第２の実施形態の斜視図である。
【図４】図３のコンテナハウスに空気が流入する第１及び第２の流入通気孔及び空気が排出される第１及び第２の排出通気孔が形成されたことを説明するための図である。
【図５】図４の第１の流入通気孔に流入した空気が側壁部と第１の断熱パネルとの間の第１の離隔空間を経由した後に第１の排出通気孔に排出されることを説明するための図である。
【図６】図４の第２の流入通気孔に流入した空気が天井部と第２の断熱パネルとの間の第２の離隔空間を経由した後に第２の排出通気孔に排出されることを説明するための図である。
【図７】図３において、第１の流入通気孔及び第２の流入通気孔に雨や雪が流入しないようにするためのルーフカバーを説明するための図である。
【発明を実施するための形態】
【００１９】
以下、本発明によるコンテナハウスについて添付図面に基づいて詳細に説明する。
図１は、本発明による断熱性が補強されたコンテナハウスの第１の実施形態の斜視図であり、図２は、図１のＩＩ−ＩＩ線に沿った断面図である。
【００２０】
同図に示すように、本発明によるコンテナハウスは、コンテナ胴体１０の内側において側壁部１３に溶接される多数の第１の離隔部材２０と、前記コンテナ胴体１０の内側において天井部１４に溶接される多数の第２の離隔部材３０と、前記第１の離隔部材２０に結合されて前記側壁部１３の間に第１の離隔空間Ｄ１を形成する多数の第１の断熱パネル４０と、前記第２の離隔部材３０に結合されて前記天井部１４の間に第２の離隔空間Ｄ２を形成する多数の第２の断熱パネル５０と、前記第１及び第２の断熱パネル４０、５０の表面に貼り付けられる多数の仕上げパネル６０と、を備える。
【００２１】
コンテナ胴体１０は、図１に示すように、六面体をなすように連結されるフレーム組立体１１、フレーム組立体１１に結合されて底面を形成する底面部１２、フレーム組立体１１を取り囲む壁体を形成する側壁部１３、フレーム組立体１１の天井を形成する天井部１４により構成される。このとき、側壁部１３及び天井部１４は、谷及び山が形成された波状鋼板、若しくは扁平状鋼板からなり、この実施形態では、側壁部１３が波状鋼板からなり、且つ、天井部１４が扁平状鋼板からなる場合が例示されている。なお、側壁部１３には、戸枠１５や窓枠１６が配設される。
【００２２】
第１の離隔部材２０は金属製のバー状を呈するものであり、側壁部１３に溶接により固定される。このような第１の離隔部材２０は、第１の断熱パネル４０を固定すると共に、側壁部１３と第１の断熱パネル４０との間に第１の離隔空間Ｄ１を形成する。
【００２３】
第１の離隔部材２０により形成される第１の離隔空間Ｄ１は、断熱層の役割を果たすことにより、コンテナ胴体１０の外側の熱が第１の断熱パネル４０に伝わることを遮断する。すなわち、第１の離隔空間Ｄ１には空気層が形成されて第１の断熱パネル４０とは独立した断熱層となるのである。なお、第１の離隔空間Ｄ１は、コンテナ胴体１０に配設される各種の電装品に電源を供給するための多数の電気配線（図示せず）が配設される空間を提供する。
【００２４】
第２の離隔部材３０は金属製のバー状を呈するものであり、天井部１４に溶接により固定される。このような第２の離隔部材３０は、第２の断熱パネル５０を固定すると共に、天井部１４と第２の断熱パネル５０との間に第２の離隔空間Ｄ２を形成する。
【００２５】
第２の離隔部材３０により形成される第２の離隔空間Ｄ２は、 断熱層の役割を果たすことにより、コンテナ胴体１０の外側の熱が第２の断熱パネル５０に伝わることを遮断する。すなわち、第２の離隔空間Ｄ２には空気層が形成されて第２の断熱パネル５０とは独立した断熱層となるのである。なお、第２の離隔空間Ｄ２は、コンテナ胴体１０に配設される各種の電装品に電源を供給するための多数の電気配線（図示せず）が配設される空間を提供する。
【００２６】
第１の断熱パネル４０は、発泡スチレンなどの第１の断熱材４１の両面に第１の鉄板４２が貼り付けられて実現されるサンドイッチパネルであり、第１の離隔部材２０により側壁部１３から離れるように固定される。このとき、第１の断熱パネル４０は、第１の断熱材４１の両面に第１の鉄板４２が貼り付けられた構造であるため、第１の離隔空間Ｄ１を経由する電気配線が第１の断熱材４１から引き離された状態を維持する。このため、たとえショートが発生して電気配線においてスパークが発生しても、そのスパークは第１の鉄板４２により遮断されて第１の断熱材４１が燃焼されることを防ぐ。
【００２７】
第２の断熱パネル５０は、発泡スチレンなどの第２の断熱材５１の両面に第２の鉄板５２が貼り付けられて実現されるサンドイッチパネルであり、第２の離隔部材３０により天井部１４から離れるように固定される。このとき、第２の断熱パネル５０は、第２の断熱材５１の両面に第２の鉄板５２が貼り付けられた構造であるため、第２の離隔空間Ｄ２を経由する電気配線は第２の断熱材５１から引き離された状態を維持する。このため、たとえショートが発生して電気配線においてスパークが発生しても、そのスパークは第２の鉄板５２により遮断されて第２の断熱材５１が燃焼されることを防ぐ。
【００２８】
仕上げパネル６０は、第１及び第２の断熱パネル４０、５０の表面に貼り付けられて仕上げるためのものであり、石膏ボードやバニヤ板などとして実現される。仕上げパネル６０には壁紙が貼着されるか、又は、ペイントが塗り付けられることにより、コンテナの内部を仕上げる。
【００２９】
このように、コンテナハウスによれば、第１及び第２の断熱パネル４０、５０が第１及び第２の離隔部材２０、３０により側壁部１３及び天井部１４から離れるように配設されるため、側壁部１３と第１の断熱パネル４０との間には第１の離隔空間Ｄ１が形成され、且つ、天井部１４と第２の断熱パネル５０との間には第２の離隔空間Ｄ２が形成される。このため、空気で満たされた第１及び第２の離隔空間Ｄ１、Ｄ２は最初の断熱層となり、第１及び第２の断熱パネル４０、５０は２番目の断熱層となり、その結果、２重の断熱層を形成することができて断熱効果を極大化させることができ、コンテナ胴体１０の外部の熱が内部に伝わることを効果的に防ぐことができる。
【００３０】
また、第１及び第２の離隔空間Ｄ１、Ｄ２を形成することにより、電装品に電源を供給するための多数の電気配線が引き回される空間を提供する。このため、電気配線が経由する空間を再び形成することが不要になるので、電気配線の作業が容易に行える。
【００３１】
更に、第１及び第２の断熱パネル４０、５０が、第１及び第２の断熱材４１、５１の両面が第１及び第２の鉄板４２、５２に貼り付けられた構造であるため、第１及び第２の離隔空間Ｄ１、Ｄ２を経由する電気配線が第１及び第２の断熱材４１、５１に直接的に接触されることを防ぐことができる。このため、たとえショートが発生して電気配線においてスパークが発生しても、そのスパークは第１及び第２の鉄板４２、５２により遮断され、これにより、第１及び第２の断熱材４１、５１がスパークにより燃焼されることを防ぐことができて火災の可能性を排除することができる。
【００３２】
加えて、空気層からなる第１及び第２の離隔空間Ｄ１、Ｄ２を形成することにより、防音性を向上させることができ、これにより、外部の騒音がコンテナハウスの内部に流入することを防ぐことができる。
【００３３】
図３は、本発明による断熱性が補強されたコンテナハウスの第２の実施形態の斜視図であり、図４は、図３のコンテナハウスに空気が流入する第１及び第２の流入通気孔及び空気が排出される第１及び第２の排出通気孔が形成されたことを説明するための図である。また、図５は、図４の第１の流入通気孔に流入した空気が側壁部と第１の断熱パネルとの間の第１の離隔空間を経由した後に第１の排出通気孔に排出されることを説明するための図であり、図６は、図４の第２の流入通気孔に流入した空気が天井部と第２の断熱パネルとの間の第２の離隔空間を経由した後に第２の排出通気孔に排出されることを説明するための図である。更に、図７は、図３において、第１の流入通気孔及び第２の流入通気孔に雨や雪が流入しないようにするためのルーフカバーを説明するための図である。ここで、図１及び図２と同じ参照符号は、同じ機能をする同じ部材である。
【００３４】
同図に示すように、本発明によるコンテナハウスの第２の実施形態は、第１の実施形態で説明された。前記第１及び第２の離隔部材２０、３０と、第１及び第２の断熱パネル４０、５０及び仕上げパネル６０に加えて、コンテナ胴体１０の上部の一方の側及び他方の側に形成されたものであり、第１の離隔空間Ｄ１と連通される第１の流入通気孔７１及び第１の排出通気孔７２と、コンテナ胴体１０の上部の一方の側及び他方の側に形成されたものであり、第２の離隔空間Ｄ２と連通される第２の流入通気孔７５及び第２の排出通気孔７６と、第１の排出通気孔７２及び第２の排出通気孔７６と連通されて第１及び第２の離隔空間Ｄ１、Ｄ２に負圧を形成するファンユニット８０と、外気の温度と側壁部１３及び天井部１４のうちの少なくとも一方との間の温度差が設定された温度差以上である場合にファンユニット８０を自動的に作動させるファンコントローラ９０と、第１の流入通気孔７１及び第２の流入通気孔７５に雨や雪が流入しないようにするためのルーフカバー１００と、を備える。
【００３５】
第１の流入通気孔７１及び第２の排出通気孔７２は、図５に示すように、第１の離隔空間Ｄ１と連通されるものであり、側壁部１３の一方の側及び他方の側に空気が流入して排出される通路を形成する。
【００３６】
第２の流入通気孔７５及び第２の排出通気孔７６は、図６に示すように、第２の離隔空間Ｄ２と連通されるものであり、天井部１４の一方の側及び他方の側に空気が流入して排出される通路を形成する。
【００３７】
本実施形態において、説明し易さのために、第１の離隔空間Ｄ１及び第２の離隔空間Ｄ２を独立した構成要素で説明したが、第１及び第２の離隔空間Ｄ１、Ｄ２を互いに連通させてもよいということはいうまでもない。
【００３８】
ファンユニット８０は、第１の排出通気孔７２及び／又は第２の排出通気孔７６と連通されて第１及び第２の離隔空間Ｄ１、Ｄ２に負圧を形成することにより、第１及び第２の流入通気孔７１、７５に外気空気を流入させる。このために、ファンユニット８０は、図４から図６に示すように、第１及び第２の排出通気孔７２、７６を取り囲むファンハウジング８１と、ファンハウジング８１に配設されて当該ファンハウジング８１の内部の空気を外部に排出するファン８２と、を備える。
【００３９】
本実施形態において、ファンユニット８０は、第１及び第２の排出通気孔７２、７６と同時に連通される１つの構成要素で説明されている。しかし、ファンユニットは、第１の排出通気孔７２及び第２の排出通気孔７６のそれぞれに連通される独立した構成要素として実現されてもよいということはいうまでもない。すなわち、ファンユニット８０は、第１の排出通気孔７２を取り囲むファンハウジング８１と、ファンハウジング８１に配設されて当該ファンハウジング８１の内部の空気を外部に排出するファン８２と、により構成されてもよい。或いは、ファンユニット８０は、第２の排出通気孔７６を取り囲むファンハウジング８１と、ファンハウジング８１に配設されて当該ファンハウジング８１の内部の空気を外部に排出するファン８２と、により構成されてもよい。
【００４０】
第１の離隔空間Ｄ１は、側壁部１３と第１の断熱パネル４０との間に形成されるため、ファンユニット８０が作動されると、図５に示すように、外部の空気が第１の流入通気孔７１、第１の離隔空間Ｄ１及び第１の排出通気孔７２を経由して排出される。この過程において、外部の空気は側壁部１３及び第１の断熱パネル４０の熱を吸収することから、たとえ側壁部１３の温度が７０〜８０℃以上に上昇しても、その高熱が第１の断熱パネル４０に伝わることを極力抑えることができる。
【００４１】
このとき、第１の離隔空間Ｄ１の内部には、図６に示すように、それを経由する空気が側壁部１３の全面に接触されながら流れるように多数の第１の渦流形成部材７３が千鳥状に配設される。このため、図５に示すように、第１の流入通気孔７１に流入した後に第１の離隔空間Ｄ１を流れる空気は、多数の第１の渦流形成部材７３にぶつかって渦流を形成しながら側壁部１３の全面に接触されながら流れ、このため、空気は、側壁部１３に熱をなお一層効果的に吸収して排気されることから、側壁部１３を介して第１の断熱パネル４０に伝わる熱の伝導を極力抑えることができる。
【００４２】
第２の離隔空間Ｄ２は、天井部１４と第２の断熱パネル５０との間に形成されるため、ファンユニット８０が作動されると、図６に示すように、外部の空気が第２の流入通気孔７５、第２の離隔空間Ｄ２及び第２の排出通気孔７６を経由して排出される。この過程において、外部の空気は天井部１４及び第２の断熱パネル５０の熱を吸収することから、たとえ天井部１４のの温度が７０〜８０℃以上に上昇しても、その高熱が第２の断熱パネル５０に伝わることを極力抑えることができる。
【００４３】
このとき、第２の離隔空間Ｄ２の内部には、図４に示すように、そこを経由する空気が天井部１４の全面に接触されながら流れるように多数の第２の渦流形成部材７７が千鳥状に配設される。このため、図６に示すように、第２の流入通気孔７５に流入した後に第２の離隔空間Ｄ２を流れる空気は、多数の第２の渦流形成部材７７にぶつかって渦流を形成しながら天井部１４の全面に接触されながら流れ、このため、空気は、天井部１４に伝わる熱をなお一層効果的に吸収して排気されることから、天井部１４を介して第２の断熱パネル５０に伝わる熱の伝導を極力抑えることができる。
【００４４】
ファンコントローラ９０は、外気の温度を測定して対応する第１の温度信号Ｓ１を発生させる第１の温度センサー９１と、側壁部１３及び天井部１４のうちの少なくとも一方の内部の温度を測定して対応する第２の温度信号Ｓ２を発生させる第２の温度センサー９２と、第１の温度信号Ｓ１及び第２の温度信号Ｓ２により測定された温度差が設定された温度差以上であるときに前記ファンユニット８０を作動させるファン作動部９３と、を備える。
【００４５】
例えば、外気の温度が３０℃に達する場合、コンテナ胴体の天井部１４の温度は７０〜８０℃以上に上昇するため、第１及び第２の離隔空間Ｄ１、Ｄ２の内部の温度も７０〜８０℃に急激に上昇する。この場合、第１及び第２の断熱パネル４０、５０に高熱が伝わってコンテナハウスの内部の温度が急激に上昇する。
【００４６】
しかしながら、ファンコントローラ９０を採用することにより、第１の温度センサー９１において測定された外気の温度と、第２の温度センサー９２において測定された側壁部１３又は天井部１４との間の温度差が設定温度、例えば、１０℃の設定温度以上の差が出る場合、ファン作動部９３は、ファンユニットのファン８２を作動させる。すると、第１及び第２の排出通気孔７２、７６に負圧が形成されながら第１及び第２の流入通気孔７１７５に外部の空気が流入し、このような空気は、第１及び第２の離隔空間Ｄ１、Ｄ２を経由した後に第１及び第２の排出通気孔７２、７６及びファン８０を介して外部に排気される。このとき、外部の空気は側壁部１３及び天井部１４の温度を吸収し、第１及び第２の離隔空間Ｄ１、Ｄ２において加熱された空気を排出することにより、第１及び第２の断熱パネル４０、５０に加えられる熱を極力抑えることができる。その結果、断熱効果を極大化させてコンテナハウスの内部の温度が急激に上昇することを防ぐことができる。
【００４７】
ルーフカバー１００は、図７に示すように、コンテナ胴体１０の所定の部分に配設されて第１の流入通気孔７１及び第２の流入通気孔７２に雨や雪が流入しないようにする。このようなルーフカバー１００は、第１の流入通気孔７１及び／又は第２の流入通気孔７５に雨や雪が降り込まないように取り囲み、第１及び第２の流入通気孔７１、７５よりも下部側に空気が流入するカバー入口１００ａが形成された構造を有する。これにより、ルーフカバー１００により雨や雪が第１及び第２の流入通気孔７１、７５に流入することは遮断するが、空気はカバー入口１００ａを介して第１及び第２の流入通気孔７１、７５に流入する。
【００４８】
このように、本発明による断熱性が補強されたコンテナハウスの第２の実施形態によれば、外気の温度が上昇して側壁部１３及び天井部１４が過熱される場合、ファンコントローラ９０はファン８０を作動させることにより、第１及び第２の流入通気孔７１、７５を介して空気を強制的に流入させ、強制的に流入した空気は、第１及び第２の離隔空間Ｄ１、Ｄ２を経由した後に第１及び第２の排出通気孔７２、７６に排出する。この過程において、第１及び第２の離隔空間Ｄ１、Ｄ２を経由する空気は、多数の第１及び第２の渦流形成部材７３、７７にぶつかって渦流を形成しながら側壁部１３及び天井部１４の全面に接触されながら側壁部１３及び天井部１４に伝わる熱を効果的に吸収した後に排気される。このため、側壁部１３及び天井部１４を介して第１及び第２の断熱パネル４０、５０に伝わる熱の伝導を極力抑えることができる。
【００４９】
また、第１及び第２の離隔空間Ｄ１、Ｄ２の内部の温度が下がることから、その第１及び第２の離隔空間Ｄ１、Ｄ２に配設される電気配線の絶縁層が高熱により破損されたり、早く硬化したりすることを防ぐことができる。
【００５０】
本発明は、図示の一実施形態に基づいて説明されたが、これは単なる例示に過ぎず、この技術分野における通常の知識を有する者であれば、これより種々の変形及び均等な他の実施形態が実施可能であるということは理解できる筈である。
【産業上の利用可能性】
【００５１】
本発明によれば、 側壁部１３及び天井部１４に空気層からなる第１及び第２の離隔空間Ｄ１、Ｄ２が形成されるように第１及び第２の断熱パネル４０、５０を設けて断熱効果を極大化させることができ、これにより、夏場や冬場に快適な環境を維持することができる。特に、外気の温度が上昇して側壁部１３及び天井部１４が過熱される場合、ファンコントローラ９０はファン８０を自動的に作動させることから、側壁部１３及び天井部１４の熱を吸収した後に排気することができる。これにより、側壁部１３及び天井部１４を介して第１及び第２の断熱パネル４０、５０に伝わる熱の伝導を極力抑えることができて断熱効果をなお一層極大化させることができる。
【００５２】
また、第１及び第２の離隔空間Ｄ１、Ｄ２を形成することにより、多数の電気配線を引き回すための別途の空間を形成しなくても済むので組立て易く、たとえ電気ショートによりスパークが発生しても火災の可能性を排除することができる。
【００５３】
更に、たとえ真夏にコンテナハウスの側壁部及び天井部が７０〜８０℃まで上昇しても、高熱が電気配線に伝わらないことから、電気配線を取り囲む絶縁層が破損されたり硬化が促されたりすることを防ぐことができる。
【００５４】
更にまた、空気層からなる第１及び第２の離隔空間Ｄ１、Ｄ２を形成することにより、防音性を向上させることができ、これにより、外部の騒音がコンテナハウスの内部に流入することを防ぐことができる。
【図１】
0006449311.tif 000002
【図２】
0006449311.tif 000003
【図３】
0006449311.tif 000004
【図４】
0006449311.tif 000005
【図５】
0006449311.tif 000006
【図６】
0006449311.tif 000007
【図７】
0006449311.tif 000008